(57)【要約】本開示は、ディスプレイパネルおよびディスプレイ装置を開示する。非表示領域に少なくとも１つの負荷補償ユニットを提供することにより、負荷補償ユニットは、ゲートラインを制御することによってピクセルの充電時間を調整するために使用され、その結果、表示画面の各領域の輝度が均一になる。
2021532389.tif 000002
【特許請求の範囲】
【請求項１】
複数のゲートラインと、
複数の出力端子を含むゲート駆動回路と、
少なくとも１つの前記出力端子となくとも１つの前記少ゲートラインとの間に配置された少なくとも１つの負荷補償ユニットと
を含み、
前記複数の出力端子の少なくとも１つは、前記複数のゲートラインの少なくとも１つのゲートラインに電気的に接続され、
前記少なくとも１つのゲートラインは、前記少なくとも１つの出力端子に電気的に接続され、
ディスプレイパネルは、表示領域と、表示領域を囲む非表示領域とを含み、前記複数のゲートラインは、前記表示領域に配置され、前記ゲート駆動回路と前記少なくとも１つの負荷補償ユニットは、非表示領域に配置され、
前記少なくとも１つの負荷補償ユニットは、ゲートラインを制御してディスプレイ画面の各領域の明るさを均一にするために、ピクセルの充電時間を調整するために使用される、ことを特徴とするディスプレイパネル。
【請求項２】
前記ゲート駆動回路の各前記出力端子は、前記複数のゲートラインのうちの１つに接続され、異なる前記出力端子は異なるゲートラインに接続される、ことを特徴とする請求項１に記載のディスプレイパネル。
【請求項３】
第１の電圧電源ラインおよび第１の電圧電源端子をさらに含み、
前記第１の電圧電源ラインは表示領域に配置され、前記第１の電圧電源端子は、非表示領域に配置され、前記第１の電圧電源ラインに電気的に接続され、
前記第１の電圧電源ラインは、前記複数のゲートラインと交差するように配置され、すべての負荷補償ユニットは、前記第１の電圧電源ラインが前記第１の電圧電源端子から離れる方向に沿って順次に少なくとも２つのユニットグループに分割され、前記ユニットグループそれぞれに少なくとも１つの負荷補償ユニットがあり、
前記ユニットグループが前記第１の電圧電源端子から離れるほど、前記ユニットグループ内の前記負荷補償ユニットの補償負荷値が大きい、ことを特徴とする請求項２に記載のディスプレイパネル。
【請求項４】
前記ユニットグループのそれぞれは、少なくとも２つの隣接する負荷補償ユニットを含む、ことを特徴とする請求項３に記載のディスプレイパネル。
【請求項５】
同じ前記ユニットグループ内の各前記負荷補償ユニットの補償負荷値は同じであり、異なる前記ユニットグループ内の補償負荷値は異なる、ことを特徴とする請求項４に記載のディスプレイパネル。
【請求項６】
各前記ユニットグループ内の負荷補償ユニットの数は同じである、ことを特徴とする請求項３に記載のディスプレイパネル。
【請求項７】
前記負荷補償ユニットは、補償抵抗および補償コンデンサの少なくとも１つを含み、ここで、前記ゲート駆動回路の出力端子は、前記補償抵抗を介して対応するゲートラインに電気的に接続され、前記補償コンデンサの一端は、前記ゲート駆動回路の出力端子に電気的に接続され、他端は接地端に電気的に接続され、
前記負荷補償ユニットに補償抵抗が含まれている場合、前記補償抵抗の抵抗値が前記負荷補償ユニットの補償負荷値として使用され、
前記負荷補償ユニットに補償コンデンサが含まれている場合、前記補償コンデンサの容量値が前記負荷補償ユニットの補償負荷値として使用され、
前記負荷補償ユニットに補償抵抗と補償コンデンサが含まれる場合、前記補償抵抗の抵抗値と前記補償コンデンサの容量値の積は、前記負荷補償ユニットの補償負荷値として使用される、ことを特徴とする請求項１に記載のディスプレイパネル。
【請求項８】
前記補償抵抗は、折り線形状の抵抗トレースを含み、ここで、前記抵抗トレースの一端は、前記ゲート駆動回路の出力端子に電気的に接続され、他端は前記ゲートラインに電気的に接続されている、ことを特徴とする請求項７に記載のディスプレイパネル。
【請求項９】
前記抵抗トレースは、第１の方向に延びる複数の第１の抵抗トレースと、第２の方向に延びる複数の第２の抵抗トレースとを含み、前記第１の抵抗トレースは、前記第２の抵抗トレースに順番に電気的に接続され、前記第１の方向は前記第２の方向と交差している、ことを特徴とする請求項８に記載のディスプレイパネル。
【請求項１０】
前記第１の抵抗トレースと前記第２の抵抗トレースのうちの少なくとも１つの断面積は前記ゲートラインの断面積よりも小さい、ことを特徴とする請求項９に記載のディスプレイパネル。
【請求項１１】
前記ディスプレイパネルは、各前記抵抗トレースのそれぞれに対応し、絶縁される異なる層に配置された第１の導電層をさらに含み、ここで、前記ディスプレイパネル上の前記第１の導電層の正射投影とディスプレイパネル上の対応する抵抗トレースの正射投影には、重なり合う領域があり、
前記補償コンデンサは、前記重なり合う領域に配置された前記第１の導電層と、前記抵抗トレースによって形成された第１のコンデンサとを含む、ことを特徴とする請求項８から請求項１０のいずれか一項に記載のディスプレイパネル。
【請求項１２】
前記ディスプレイパネル上の前記第１の導電層の正射投影は、ディスプレイパネル上の対応する抵抗トレースの正射投影を覆う、ことを特徴とする請求項１１に記載のディスプレイパネル。
【請求項１３】
前記ディスプレイパネルは、前記第１の抵抗トレースと前記第２の抵抗トレースとの間に接続された第２の導電層をさらに含み、ここで、前記ディスプレイパネル上の前記第１の導電層の正射投影は、前記ディスプレイパネル上の前記第２の導電層の正射投影を覆い、
前記補償コンデンサは、前記第１の導電層と前記第２の導電層によって形成された第２のコンデンサをさらに含む、ことを特徴とする請求項１１に記載のディスプレイパネル。
【請求項１４】
前記ディスプレイパネルは、前記負荷補償ユニットを備えた出力端子に対応する第３の導電層と前記負荷補償ユニットを備えた出力端子に電気的接続された第４の導電層を含み、前記第３の導電層と前記第４の導電層は、絶縁のために異なる層で配置され、
前記ディスプレイパネル上の前記第３の導電層の正射投影と、前記ディスプレイパネル上の対応する前記第４の導電層の正射投影には、重なり合う領域があり、
前記補償コンデンサは、前記重なり合う領域に配置された前記第４の導電層と前記第３の導電層によって形成された第３のコンデンサを含む、ことを特徴とする請求項７に記載のディスプレイパネル。
【請求項１５】
前記ディスプレイパネル上の前記第３の導電層の正射投影は、前記ディスプレイパネル上の前記第４の導電層の正射投影を覆う、ことを特徴とする請求項１４に記載のディスプレイパネル。
【請求項１６】
請求項１から請求項１５のいずれか一項に記載のディスプレイパネルを備えるディスプレイ装置。
【発明の詳細な説明】
【技術分野】
【０００１】
本発明は、通信技術分野に関し、特にディスプレイパネルおよびディスプレイ装置に関する。
【０００２】
［関連出願の相互参照］
本出願は、２０１８年７月３０日に中国特許局に提出し、出願番号が２０１８１０８５２８７４．８であり、発明名称が「ディスプレイパネルおよびディスプレイ装置」との中国特許出願を基礎とする優先権を主張し、その開示の総てをここに取り込む。
【背景技術】
【０００３】
有機発光ダイオード（Ｏｒｇａｎｉｃ  Ｌｉｇｈｔ−Ｅｍｉｔｔｉｎｇ  Ｄｉｏｄｅ，ＯＬＥＤ）は、自己発光、広い色域、高コントラスト、明るさ、薄さという利点があり、ディスプレイ装置で広く使用されている。図１に示すように、ＯＬＥＤディスプレイパネルは、表示領域ＡＡ、表示領域ＡＡに配置されたピクセルユニットＰＸ、各ピクセルユニットＰＸのピクセル回路に電気的に接続された高レベル電圧電源ライン１１０、および高レベル電圧電源トレース１１０に電気的に接続されている高レベル電圧電源端子１２０を含む。高レベル電圧電源端子１２０は、外部電力管理チップと電気的に接続して、電力信号ＥＬＶＡＤを表示領域ＡＡに入力するために使用される。高レベル電圧電源ライン１１０は抵抗を有するので、電力信号ＥＬＶＡＤの電圧は、高レベル電圧電源端子１２０から高レベル電圧電源ライン１１０に向かう方向に減少する、すなわち、ＩＲドロップ（ＩＲ  Ｄｒｏｐ）現象である。このように、表示領域ＡＡの輝度は、高レベル電圧電源端子１２０から高レベル電圧電源配線１１０の方向から徐々に低下し、輝度均一性が悪くなり、表示効果に影響を与える。
【発明の概要】
【０００４】
本開示の実施形態は、ディスプレイパネルおよびディスプレイデバイスを提供し、特定の解決策は以下の通りである。
【０００５】
したがって、本開示の実施形態によって提供されるディスプレイパネルは、ゲート駆動回路と、前記少なくとも１つの出力端子と前記少なくとも１つのゲートラインとの間に配置された少なくとも１つの負荷補償ユニットと、を含み、
前記ゲート駆動回路は複数の出力端子を含み、前記複数の出力端子の少なくとも１つは、前記複数のゲートラインの少なくとも１つのゲートラインに電気的に接続され、
前記少なくとも１つのゲートラインは、前記少なくとも１つの出力端子に電気的に接続され、
ここで、前記ディスプレイパネルは、表示領域と、表示領域を囲む非表示領域とを含み、前記複数のゲートラインは、前記表示領域に配置され、前記ゲート駆動回路と前記少なくとも１つの負荷補償ユニットは、非表示領域に配置され、
前記少なくとも１つの負荷補償ユニットは、ゲートラインを制御してディスプレイ画面の各領域の明るさを均一にするために、ピクセルの充電時間を調整するために使用される。
任意選択で、本開示の実施形態では、前記ゲート駆動回路の各前記出力端子は、前記複数のゲートラインのうちの１つに接続され、異なる前記出力端子は異なるゲートラインに接続される。
【０００６】
任意選択で、本開示の実施形態では、第１の電圧電源ラインおよび第１の電圧電源端子をさらに含み、
前記第１の電圧電源ラインは表示領域に配置され、前記第１の電圧電源端子は、非表示領域に配置され、前記第１の電圧電源ラインに電気的に接続され、
前記第１の電圧電源ラインは、前記複数のゲートラインと交差するように配置され、すべての負荷補償ユニットは、前記第１の電圧電源ラインが前記第１の電圧電源端子から離れる方向に沿って順次に少なくとも２つのユニットグループに分割され、前記ユニットグループそれぞれに少なくとも１つの負荷補償ユニットがあり、
前記ユニットグループが前記第１の電圧電源端子から離れるほど、前記ユニットグループ内の前記負荷補償ユニットの補償負荷値が大きい。
【０００７】
任意選択で、本開示の実施形態では、前記ユニットグループのそれぞれは、少なくとも２つの隣接する負荷補償ユニットを含む。
【０００８】
任意選択で、本開示の実施形態では、同じ前記ユニットグループ内の各前記負荷補償ユニットの補償負荷値は同じであり、異なる前記ユニットグループ内の補償負荷値は異なる。
任意選択で、本開示の実施形態では、各前記ユニットグループ内の負荷補償ユニットの数は同じである。
【０００９】
任意選択で、本開示の実施形態では、前記ユニットグループのそれぞれは、１つの負荷補償ユニットを含む。
任意選択で、本開示の実施形態では、前記負荷補償ユニットは、補償抵抗および補償コンデンサの少なくとも１つを含み、ここで、前記ゲート駆動回路の出力端子は、前記補償抵抗を介して対応するゲートラインに電気的に接続され、前記補償コンデンサの一端は、前記ゲート駆動回路の出力端子に電気的に接続され、他端は接地端に電気的に接続され、
前記負荷補償ユニットに補償抵抗が含まれている場合、前記補償抵抗の抵抗値が前記負荷補償ユニットの補償負荷値として使用され、
前記負荷補償ユニットに補償コンデンサが含まれている場合、前記補償コンデンサの容量値が前記負荷補償ユニットの補償負荷値として使用され、
前記負荷補償ユニットに補償抵抗と補償コンデンサが含まれる場合、前記補償抵抗の抵抗値と前記補償コンデンサの容量値の積は、前記負荷補償ユニットの補償負荷値として使用される。
【００１０】
任意選択で、本開示の実施形態では、前記補償抵抗は、折り線形状の抵抗トレースを含み、ここで、前記抵抗トレースの一端は、前記ゲート駆動回路の出力端子に電気的に接続され、他端は前記ゲートラインに電気的に接続されている。
【００１１】
任意選択で、本開示の実施形態では、前記抵抗トレースは、第１の方向に延びる複数の第１の抵抗トレースと、第２の方向に延びる複数の第２の抵抗トレースとを含み、前記第１の抵抗トレースは、前記第２の抵抗トレースに順番に電気的に接続され、前記第１の方向は前記第２の方向と交差している。
【００１２】
任意選択で、本開示の実施形態では、前記第１の抵抗トレースと前記第２の抵抗トレースのうちの少なくとも１つの断面積は前記ゲートラインの断面積よりも小さい。
【００１３】
任意選択で、本開示の実施形態では、前記ディスプレイパネルは、各前記抵抗トレースのそれぞれに対応し、絶縁される異なる層に配置された第１の導電層をさらに含み、ここで、前記ディスプレイパネル上の前記第１の導電層の正射投影とディスプレイパネル上の対応する抵抗トレースの正射投影には、重なり合う領域があり、
前記補償コンデンサは、前記重なり合う領域に配置された前記第１の導電層と、前記抵抗トレースによって形成された第１のコンデンサとを含む。
【００１４】
任意選択で、本開示の実施形態では、前記ディスプレイパネル上の前記第１の導電層の正射投影は、ディスプレイパネル上の対応する抵抗トレースの正射投影を覆う。
【００１５】
任意選択で、本開示の実施形態では、前記ディスプレイパネルは、前記第１の抵抗トレースと前記第２の抵抗トレースとの間に接続された第２の導電層をさらに含み、ここで、前記ディスプレイパネル上の前記第１の導電層の正射投影は、前記ディスプレイパネル上の前記第２の導電層の正射投影を覆い、
前記補償コンデンサは、前記第１の導電層と前記第２の導電層によって形成された第２のコンデンサをさらに含む。
【００１６】
任意選択で、本開示の実施形態では、前記ディスプレイパネルは、前記負荷補償ユニットを備えた出力端子に対応する第３の導電層と、前記負荷補償ユニットを備えたシフトレジスタユニットの出力端子に電気的に接続された第４の導電層とをさらに含み、ここで、前記第３の導電層と前記第４の導電層は、絶縁のために異なる層で配置され、
前記ディスプレイパネル上の前記第３の導電層の正射投影と、前記ディスプレイパネル上の対応する前記第４の導電層の正射投影には、重なり合う領域があり、
前記補償コンデンサは、前記重なり合う領域に配置された前記第４の導電層と前記第３の導電層によって形成された第３のコンデンサを含む。
【００１７】
任意選択で、本開示の実施形態では、前記ディスプレイパネル上の前記第３の導電層の正射投影は、前記ディスプレイパネル上の前記第４の導電層の正射投影を覆う。
【００１８】
同様に、本開示の実施形態はまた、本開示の実施形態によって提供されるディスプレイパネルを含むディスプレイ装置を提供する。
【図面の簡単な説明】
【００１９】
【図１】先行技術におけるディスプレイパネルの構造の概略図である。
【図２】関連技術におけるピクセル回路の構造の概略図である。
【図３】図２に示すピクセル回路の駆動タイミング図である。
【図４ａ】本開示の実施形態によって提供されるディスプレイパネルの概略構造図の１つである。
【図４ｂ】本開示の実施形態によって提供されるディスプレイパネルの第２の構造図である。
【図５】本開示の実施形態によって提供されるゲートターンオン信号の概略図である。
【図６】本開示の実施形態によって提供されるディスプレイパネルの部分構造の概略図である。
【図７】本開示の実施形態によって提供されるディスプレイパネルの部分構造の第２の概略図である。
【図８】本開示の実施形態によって提供されるディスプレイパネルの部分構造の第３の概略図である。
【図９ａ】本開示の実施形態によって提供されるディスプレイパネルの部分構造の第４の概略図である。
【図９ｂ】図９ａのＢＢ’方向に沿った構造の概略断面図である。
【図１０】本開示の実施形態によって提供されるディスプレイパネルの部分構造の第５の概略図である。
【図１１】本開示の実施形態によって提供されるディスプレイパネルの部分構造の第６の概略図である。
【発明を実施するための形態】
【００２０】
本開示の目的、技術的解決策および利点をより明確にするために、本開示の実施形態によって提供されるディスプレイパネルおよびディスプレイデバイスの特定の実施について、添付の図面を参照して以下に詳細に説明する。以下に記載される好ましい実施形態は、本開示を例示および説明するためにのみ使用され、本開示を限定するために使用されないことを理解されたい。そして、矛盾がない場合、本出願の実施形態および実施形態の特徴は、互いに組み合わせることができる。さらに、図面中のフィルムの各層の厚さおよび形状は、ディスプレイパネルおよびディスプレイ装置の真の比率を反映しておらず、その目的は、本開示を概略的に説明することのみである。
【００２１】
一般に、ピクセルユニットには、ＯＬＥＤと、ＯＬＥＤを駆動して発光させるためのピクセル回路が備わっている。図２に示すように、ピクセル回路には、駆動トランジスタＤＴＦＴ、スイッチングトランジスタＭ１、およびストレージコンデンサＣｓｔが含まれる。スイッチングトランジスタＭ１のゲートはゲートラインＧ＿ｍに接続され、スイッチングトランジスタＭ１のソースはデータラインｄａｔａに接続され、スイッチングトランジスタＭ１のドレインは駆動トランジスタＤＴＦＴのゲートに接続され、駆動トランジスタＤＴＦＴのソースは第１の電圧電源ライン１１０に接続され、駆動トランジスタＤＴＦＴのドレインはＯＬＥＤのアノードに接続され、ＯＬＥＤのカソードは低電圧電源ラインＥＬＶＳＳに接続される。図２はピクセル回路の駆動タイミング図である。図３に示すにように、Ｔ１フェーズにおいて、ゲートラインＧ＿ｍ上の信号ｇ＿ｍがゲートターンオン信号（すなわち、低レベル信号）である場合、スイッチングトランジスタＭ１がオンになるように制御され、これにより、データラインＤａｔａ上のデータ信号は駆動トランジスタＤＴＦＴのゲートに提供される。駆動トランジスタＤＴＦＴのゲート電圧はデータ信号の電圧Ｖdataであり、ストレージコンデンサＣｓｔによって保存される。  Ｔ２フェーズでは、ゲートラインＧ＿ｍの信号ｇ＿ｍがゲートカットオフ信号（つまり、高レベル信号）の場合、スイッチングトランジスタＭ１がオフになるように制御される。駆動トランジスタＤＴＦＴのゲート電圧はＶdataであるため、駆動トランジスタＤＴＦＴのソース電圧は電力信号ＥＬＶＤＤの電圧Ｖddであり、これにより、駆動トランジスタＤＴＦＴが作動電流Ｉを生成し、
【００２２】
【数１】
2021532389.tif 000003
【００２３】
である。ここで、
【００２４】
【数２】
2021532389.tif 000004
【００２５】
は駆動トランジスタＤＴＦＴのしきい値電圧を示し、Ｋは構造パラメータであり、同じ構造で、この値は比較的安定しており、定数と見なすことができる。ＩＲ  Ｄｒｏｐの影響により、ＶddがΔＶdd減少すると、ΔＶddはＶddの変化量を表し、Ｉが減少するため、輝度が低下し、表示の均一性が低下する。表示の均一性を向上させるために、Ｖdataを調整してＶdataをΔＶdataだけ減らすことができ、ΔＶdata＝ΔＶddを設定することで、Ｖdd−Ｖdata間の電圧差を安定に保ち、Ｉの低下を回避して輝度の均一性を向上させることができる。
【００２６】
一般に、ゲートオン信号の持続時間が減少すると、駆動トランジスタＤＴＦＴのゲートに充電されるＶdataが減少する。これに基づいて、本開示の実施形態によって提供されるディスプレイパネルは、ゲートターンオン信号を第１行のピクセルユニットから最後の行のピクセルユニットへの方向に順次減少させることにより、駆動トランジスタＤＴＦＴのゲートに充電されるＶdataを減少させる。ピクセルユニットの対応するΔＶdataを対応するΔＶddと一致させて、Ｉの安定性を維持し、輝度の均一性を向上させることができる。
【００２７】
図４ａに示されるように、本開示の実施形態は、以下を含み得るディスプレイパネルを提供する：
◎複数のゲートラインＧ＿ｍ（１≦ｍ≦Ｍ、かつ整数であり、Ｍはゲートラインの総数であり、図２は例としてＭ＝６をとる）、
◎ゲート駆動回路。ゲート駆動回路は、複数の出力端子Ｏ＿ｍを含み、複数の出力端子Ｏ＿ｍのうちの少なくとも１つは、複数のゲートラインＧ＿ｍのうちの少なくとも１つのゲートラインＧ＿ｍに電気的に接続されている。
◎少なくとも１つの負荷補償ユニット１３０。少なくとも１つの負荷補償ユニット１３０は、少なくとも１つの出力端子Ｏ＿ｍと少なくとも１つのゲートラインＧ＿ｍとの間に配置され、少なくとも１つのゲートラインＧ＿ｍおよび少なくとも１つの出力端子Ｏ＿ｍに電気的に接続されている。
【００２８】
ここで、ディスプレイパネルは、表示領域ＡＡおよび表示領域を囲む非表示領域ＢＢを含み、複数のゲートラインＧ＿ｍが表示領域ＡＡに配置され、ゲート駆動回路および少なくとも１つの負荷補償ユニット１３０が非表示領域ＢＢに配置される。
【００２９】
少なくとも１つの負荷補償ユニット１３０は、ゲートラインＧ＿ｍを制御することによってピクセルの充電時間を調整し、それにより、表示画面の各領域の輝度が均一になる。
【００３０】
本開示の実施形態によって提供されるディスプレイパネルでは、少なくとも１つの負荷補償ユニットが非表示領域に提供され、負荷補償ユニットは、ゲートラインを制御することによってピクセルの充電時間を調整するために使用される。その結果、表示画面の各領域の輝度が均一になる。
【００３１】
任意選択で、本発明の実施形態によって提供されるディスプレイパネルにおいて、図４ａに示されるように、ゲート駆動回路の各出力端子Ｏ＿ｍは、それぞれ、複数のゲートラインのうちの１つのゲートラインＧ＿ｍに接続される。および異なる出力端子Ｏ＿ｍは、異なるゲートラインＧ＿ｍを接続する。
【００３２】
任意選択で、本発明の実施形態によって提供されるディスプレイパネルにおいて、図４ａに示されるように、それは、第１の電圧電源ライン１１０および第１の電圧電源端子１２０をさらに含む。
【００３３】
第１の電圧電源ライン１１０は表示領域ＡＡに配置され、第１の電圧電源端子１２０は非表示領域ＢＢに配置され、第１の電圧電源ライン１１０に電気的に接続されている。
【００３４】
第１の電圧電源ライン１１０は、複数のゲートラインＧ＿ｍと交差するように配置されている。
【００３５】
第１の電圧電源端子１１０から離れる第１の電圧電源ライン１１０の方向に沿って、すべての負荷補償ユニット１３０は、少なくとも２つのユニットグループ１０＿ｎ（１≦ｎ≦Ｎおよび整数、Ｎはユニットグループ総数であり、図２は例としてＮ＝２を取る）に順次分割される。前記ユニットグループ１０＿ｎそれぞれには少なくとも１つの負荷補償ユニット１３０がある。
【００３６】
ユニットグループ１０＿ｎが第１の電圧電源端子１２０から離れるほど、当該ユニットグループ１０＿ｎ内の負荷補償ユニット１３０の補償負荷値は大きくなる。
【００３７】
本開示の実施形態によって提供されるディスプレイパネルにおいて、すべての負荷補償ユニットは、第１の電圧電源端子から離れる第１の電圧電源ラインの方向に沿って、少なくとも２つのユニットグループに順次分割される。第１の電圧電源端子から離れるほど、その中の負荷補償ユニットの補償負荷値が大きくなり、ゲート駆動回路の出力端子から出力されるゲートオン信号の持続時間が徐々に短くなり、ＩＲ  Ｄｒｏｐによる輝度低下を相殺することができる。さらに、表示の均一性が向上する。
【００３８】
特定の実施において、本開示の実施形態によって提供されるディスプレイパネルにおいて、第１の電圧は、一般に、電力信号ＥＬＶＡＤを出力するための高レベル電源電圧を指す。
【００３９】
具体的な実施例では、図４ａに示すように、ゲート駆動回路は一般にカスケードされたシフトレジスタユニットＳＲ＿ｍを含み、各シフトレジスタユニットＳＲ＿ｍは、ゲートラインＧ＿ｍに対応的電気的接続するためのゲート駆動回路の出力端子Ｏ＿ｍに対応する。
【００４０】
一般に、ゲートラインはＲＣ負荷（ｌｏａｄｉｎｇ）を有し、プロセス準備条件は一般に同じであるため、ディスプレイパネルの各ゲートラインのＲＣ負荷（ｌｏａｄｉｎｇ）は基本的に同じである。特定の実施において、本開示の実施形態では、負荷補償ユニットが出力端子Ｏ＿ｍによって出力される信号の負荷を対して補償するのは、実際にはゲートラインのＲＣ負荷（ｌｏａｄｉｎｇ）を補償して、ゲートラインのＲＣ負荷（ｌｏａｄｉｎｇ）を増加させ、それによってゲートオン信号の維持時間を短縮する。
【００４１】
さらに、ゲート駆動回路の出力端子を１つの負荷補償ユニットに電気的に接続することも、ゲート駆動回路の出力端子を２、３等の複数の負荷補償ユニットに電気的に接続することもできる。これは実際の用途環境に基づいて設計および決定され必要があり、ここに限定されない。
【００４２】
一般に、ディスプレイパネルの形状は、上側、下側、左側、右側の４つの辺を持つ長方形である場合がある。特定の実施において、図４ａに示されるように、ゲート駆動回路は、左側および／または右側に配置される。第１の電圧電源端子１２０は、ゲート駆動回路が配置されている側が第１の電圧電源端子１２０が配置されている側に隣接するように、上側および／または下側に配置されている。さらに、ディスプレイパネルは、表示領域ＡＡに配置された複数のピクセルユニットＰＸも含み、１つのゲートラインは、ピクセルユニットの行に対応する。ゲート駆動回路および負荷補償ユニットは、非表示領域に配置することができる。
【００４３】
一般に、ディスプレイパネルは片側駆動または両側駆動で駆動できる。図４ａに示すように、各シフトレジスタユニットＳＲ＿ｍは、ゲートラインＧ＿ｍの同じ端に配置され、片側駆動を実現することができる。あるいは、各シフトレジスタユニットは、左シフトレジスタユニットおよび右シフトレジスタユニットを含み得、左シフトレジスタユニットおよび右シフトレジスタユニットは、それぞれ、ゲートラインの両端に接続され、それにより、両側駆動を実現する。
【００４４】
有機発光ダイオード（Ｏｒｇａｎｉｃ  Ｌｉｇｈｔ  Ｅｍｉｔｔｉｎｇ  Ｄｉｏｄｅ，ＯＬＥＤ）と量子ドット発光ダイオード（Ｑｕａｎｔｕｍ  Ｄｏｔ  Ｌｉｇｈｔ  Ｅｍｉｔｔｉｎｇ  Ｄｉｏｄｅｓ，ＱＬＥＤ）には、エネルギー消費量が少なく、製造コストが低く、自己発光し、視野角が広く、応答速度が速いという利点がある。ディスプレイパネルは、本明細書に限定されない、ＯＬＥＤディスプレイパネルまたはＱＬＥＤディスプレイパネルを含み得る。
【００４５】
本開示は、特定の実施形態と併せて以下に詳細に説明される。この実施形態は、本開示をよりよく説明するためのものであるが、本開示を限定するものではないことに留意されたい。
【００４６】
実施例１
特定の実施において、本開示の実施形態において、図４ａに示されるように、ゲート駆動回路の各出力端子Ｏ＿ｍは、それぞれ、負荷補償ユニット１３０に対応し得る。このようにして、各出力端子Ｏ＿ｍの負荷を補償することができ、輝度均一性をさらに改善することができる。あるいは、図４ｂに示すように、ゲート駆動回路の各出力端子Ｏ＿ｍは、複数の負荷補償ユニット１３０に対応することもでき、前記複数の負荷補償ユニット１３０を直列または並列に接続することもできる。例えば、各出力端子Ｏ＿ｍは、２つの負荷補償ユニット１３０に対応し得る。あるいは、各出力端子Ｏ＿ｍは、３つ、４つなどの負荷補償ユニットに対応し得る。これは、実際のアプリケーション環境に応じて設計および決定でき、ここに限定されない。
【００４７】
一般に、実際の用途では、ディスプレイパネルは、第１の電圧電源端子１２０に近い領域でのＩＲ  Ｄｒｏｐによる影響が少ない可能性があり、したがって無視することができる。特定の実施において、本開示の実施形態において、ゲート駆動回路の出力端子の一部のみが、１対１の対応で負荷補償ユニットを備えられ得る。当該出力端子の一部は、第１の電圧電源端子から離れた出力端子と、第１の電圧電源端子から離れた出力端子に隣接する少なくとも１つの出力端子とを含み得る。すなわち、第１段シフトレジスタユニットから第Ｋ段シフトレジスタユニットに対応する出力端子までを含み得る。ここで、Ｋ＜Ｍであり、かつ整数である。これにより、負荷補償ユニットの設定を減らし、消費電力を減らすことができる。
【００４８】
特定の実施において、図４ａに示されるように、同じユニットグループ１０＿ｎ内の各負荷補償ユニット１３０の補償負荷値は同じであり、異なるユニットグループにおける補償負荷値は異なる。例として、図４ａに示されるユニットグルー１０＿２の補償負荷値は、ユニットグルー１０＿１の補償負荷値よりも大きく、第１段シフトレジスタユニットおよび第４段シフトレジスタユニットによって出力されるゲートターンオン信号を取り上げる。第１段シフトレジスタユニットによって出力される信号ｇ＿１をおよび第４段シフトレジスタユニットによって出力される信号ｇ＿４を図５に示し、横軸は時間を表し、縦軸は電圧を表す。出力負荷の影響を受けて、信号ｇ＿１とｇ＿４の波形が変化する。信号ｇ＿１とｇ＿４の電圧がＶｒｅｆに低下すると、ピクセル回路のスイッチングトランジスタがオンになり、データ信号の電圧Ｖdataが書き込まれ始める。信号ｇ＿１とｇ＿４の電圧がＶｒｅｆに上昇すると、ピクセル回路のスイッチングトランジスタに負荷がかかり、データ信号の電圧Ｖdataの書き込みが終了する。つまり、データ電圧の等価書き込み時間（等価充電時間）は、電圧がＶｒｅｆ未満の時間である。ユニットグループ１０＿１の補正負荷値はユニットグループ１０＿２の補正負荷値よりも小さいため、信号ｇ＿４の充電時間ｔ２は信号ｇ＿１の充電時間ｔ１よりも長くなる。等価充電時間が短いほど、Ｖdataの書き込みが不十分である。その結果、駆動トランジスタＤＴＦＴのゲートに充電される電圧が低下する。このように、ユニットグルー１０＿１とユニットグルー１０＿２にそれぞれ対応するΔＶddに従ってユニットグルー１０＿１とユニットグルー１０＿２の補正負荷値を設定することにより、ユニットグルー１０＿１とユニットグルー１０＿２のピクセルユニットに対応するΔＶdataを対応するΔＶddと一致させることができるため、同じピクセルユニットに対応するΔＶdataと対応するΔＶddは互いに打ち消し合い、Ｉの安定性を維持する。これにより、ディスプレイパネルの輝度の均一性が向上し、表示効果が向上する。
【００４９】
一般に、ピクセルユニットの隣接する行が位置する領域におけるＩＲ  Ｄｒｏｐの変化は比較的小さいので、それらは同じと見なすことができる。特定の実施において、本開示の実施形態において、各ユニットグループは、少なくとも２つの隣接する負荷補償ユニットを含み得る。具体的には、ユニットグループには、２つの隣接する負荷補償ユニットが含まれる場合がある。つまり、２行のゲートラインの補償負荷値は同じである。または、図４ａに示されるように、ユニットグループはまた、３つの隣接する負荷補償ユニット１３０を含み得る、すなわち、ゲートラインの３つの行の補償負荷値は同じである。あるいは、ユニットグループには、隣接する４個、５個、６個などの負荷補償ユニットを含めることもできる。残りは類推によって推測できるので、ここでは繰り返さない。もちろん、各ユニットグループには、１つの負荷補償ユニットを含めることもできる。実際のアプリケーションでは、ユニットグループに含まれる負荷補償ユニットの数は、ここに限定されない実際のアプリケーション環境に応じて設計および決定できる。
【００５０】
具体的な実施において、本開示の実施形態では、図４ａに示されるように、各ユニットグループ１３０＿ｎにおける負荷補償ユニット１３０の数は同じである。これにより、輝度が均一に変化し、プロセスが簡素化される。
【００５１】
特定の実施において、図６に示されるように、負荷補償ユニット１３０は、補償抵抗Ｒ０および補償コンデンサＣ０を含み得る。ここで、ゲート駆動回路の出力端子Ｏ＿ｍは、補償抵抗Ｒ０を介して対応するゲートラインＧ＿ｍに電気的に接続される。補償コンデンサＣ０の一端はゲート駆動回路の出力端子Ｏ＿ｍに電気的に接続され、他端は接地端子ＧＮＤに電気的に接続されている。また、補償抵抗Ｒ０の抵抗値ｒ０と補償コンデンサＣ０の容量値ｃ０との積、すなわちｒ0＊ｃ0が、負荷補償ユニット１３０の補償負荷値として使用される。さらに、ｒ0、ｃ0およびｒ0＊ｃ0の特定の値は、ΔＶddに従って設計および決定する必要があり、ここで限定されない。
【００５２】
具体的な実施において、本開示の実施形態において、図７に示されるように、補償抵抗Ｒ０は、折り線形状の抵抗トレースｓ０を含み得、抵抗トレースｓ０の一端は、ゲート駆動回路の出力端子Ｏ＿ｍに電気的に接続される。もう一方の端はゲートラインＧ＿ｍに電気的に接続されている。このように、抵抗法則の式によれば、Ｒ  ＝ρＬ／  Ｓである。ここで、ρは抵抗率を表し、Ｌは抵抗トレースの長さを表し、Ｓは抵抗トレースの断面積を表し、Ｒは抵抗トレースの抵抗値を表す。Ｌを増やすことでＲを増やすことができ、それによってゲートを増やすことができる駆動回路の出力端子の負荷を向上する。
【００５３】
さらに、特定の実施において、本開示の実施形態において、図７に示されるように、抵抗トレースｓ０は、第１の方向Ｆ１に沿って延びる複数の第１の抵抗トレースｓ０１および第２の方向に沿って延びる複数の第２の抵抗トレースｓ０２を含み得る。第１の抵抗トレースｓ０１と第２の抵抗トレースｓ０２は順番に電気的に接続され、第１の方向Ｆ１と第２の方向Ｆ２が交差する。具体的には、第１の方向Ｆ１は、第２の方向Ｆ２に垂直であり得る。ここで、第１の方向Ｆ１は、ピクセルユニットの行方向であり得、第２の方向Ｆ２は、ピクセルユニットの列方向であり得る。または、第１の方向Ｆ１はピクセルユニットの列方向であり得、第２の方向Ｆ２は、ピクセルユニットの行方向であり得る。ここでは制限されない。
【００５４】
さらに、特定の実施中、本開示の実施形態では、図７に示されるように、各第１の抵抗トレースｓ０１の長さは同じであり得る。もちろん、少なくとも２本の第１の抵抗トレースの長さも異なる可能性があるが、ここではこれに限定されない。
【００５５】
さらに、特定の実施中、本開示の実施形態では、図７に示されるように、各第２の抵抗トレースｓ０２の長さは同じであり得る。もちろん、少なくとも２秒の抵抗トレースの長さも異なる可能性があるが、これはここで制限されない。
【００５６】
さらに、特定の実施において、本開示の実施形態において、図７に示されるように、各第１の抵抗トレースｓ０１および各第２の抵抗トレースｓ０２の断面積は、同じであり得る。
【００５７】
さらに、特定の実施において、本開示の実施形態において、図８に示されるように、少なくとも１つの第１の抵抗トレースｓ０１の断面積は、補償抵抗の抵抗値を増加させるために、ゲートラインＧ＿ｍの断面積よりも小さくすることができる。１つのゲートラインに接続された補償抵抗の抵抗値が決定されるので、第１の抵抗トレースの断面積を減らすことによって抵抗値を減らすと、それに応じて第１の抵抗トレースの長さを減らすことができ、それによって占有されるスペースを減らすことができる。具体的には、１つの第１の抵抗トレースｓ０１の断面積は、ゲートラインＧ＿ｍの断面積よりも小さくすることができる。または、２つの第１の抵抗トレースｓ０１の断面積も、ゲートラインＧ＿ｍの断面積よりも小さくすることができる。または、図８に示すように、各第１抵抗トレースｓ０１の断面積は、ゲートラインＧ＿ｍの断面積よりも小さい場合がある。残りは類推によって推測できるので、ここでは繰り返さない。
【００５８】
さらに、特定の実施において、本開示の実施形態において、図８に示されるように、補償抵抗の抵抗値を増加させるために、少なくとも１つの第２の抵抗トレースｓ０２の断面積は、ゲートラインＧ＿ｍの断面積よりも小さくすることができる。ゲートラインに接続された補償抵抗の抵抗値が決定されるので、第１の抵抗トレースの断面積を減らすことによって抵抗値を減らすと、それに応じて第１の抵抗トレースの長さを減らすことができ、それによって占有されるスペースを減らすことができる。具体的には、１本の抵抗トレースｓ０２の断面積は、ゲートラインＧ＿ｍの断面積よりも小さい場合がある。または、２本の抵抗トレースｓ０２の断面積は、ゲートラインＧ＿ｍの断面積よりも小さい場合がある。または、図８に示すように、各第２の抵抗トレースｓ０２の断面積は、ゲートラインの断面積よりも小さい場合がある。残りは類推によって推測できるので、ここでは繰り返さない。
【００５９】
さらに、特定の実施において、本開示の実施形態において、図７に示されるように、ディスプレイパネルは、各抵抗トレースｓ０に対応し、絶縁される異なる層に配置された第１の導電層１４０をさらに含み得、ここで、ディスプレイパネル上の第１の導電層１４０の正射投影およびディスプレイパネル上の対応する抵抗トレースｓ０の正射投影は、重なり合う領域を有する。重なり合う領域に位置する第１の導電層１４０と抵抗トレースｓ０は対面領域を有するので、コンデンサを形成することができる。従って、補償コンデンサは以下を含むことができる：重なり合う領域に位置する第１の導電層１４０と抵抗トレースｓ０から形成される第１のコンデンサを含みえる。さらに、第１の導電層１４０は、接地端子に電気的に接続することができる。あるいは、第１の導電層１４０は浮遊していてもよく、これはここで限定されない。さらに、第１の導電層と各抵抗トレースとの間に絶縁層が設けられている。
【００６０】
具体的な実施において、本開示の実施形態において、図７に示されるように、ディスプレイパネル上の第１の導電層１４０の正射投影は、ディスプレイパネル上の対応する抵抗トレースｓ０の正射投影を覆う。
【００６１】
特定の実施において、本開示の実施形態において、図９ａおよび９ｂに示されるように、ディスプレイパネルは、第１の抵抗トレースｓ０１と第２の抵抗トレースｓ０２との間に接続された第２の導電層１５０をさらに含み得る。ここで、ディスプレイパネル上の第１の導電層１４０の正射投影は、ディスプレイパネル上の第２の導電層１５０の正射投影を覆う。第１の導電層１４０および第２導電層１５０は対面領域を有するので、コンデンサを形成することができる。したがって、補償コンデンサは、第１の導電層１４０および第２導電層１５０によって形成される第２コンデンサをさらに含み得る。
【００６２】
さらに、特定の実施において、本開示の実施形態において、抵抗トレース、第２の導電層、およびゲートラインは、同じ層および同じ材料で作ることができる。このようにして、抵抗トレース、第２導電層、およびゲートラインのパターンを１つのパターン化プロセスで形成できるため、製造プロセスを簡素化し、製造コストを節約し、製造効率を向上させることができる。
【００６３】
さらに、特定の実施において、本開示の実施形態において、ディスプレイパネルは、複数のデータラインをさらに含み得、そして、各第１の導電層は、各データラインから絶縁され、同じ層および同じ材料ででき得る。このようにして、第１の導電層と各データラインのパターンを１つのパターン化プロセスで形成できるため、製造プロセスが簡素化され、製造コストが節約され、製造効率が向上する。
【００６４】
実施例２
特定の実施において、図６に示されるように、負荷補償ユニット１３０はまた、補償抵抗Ｒ０を含み得る。ここで、ゲート駆動回路の出力端子Ｏ＿ｍは、補償抵抗１３０を介して対応するゲートラインＧ＿ｍに電気的に接続される。また、補償抵抗の抵抗値ｒ0は、負荷補償ユニットの補償負荷値として使用される。具体的な実装については、第１の実施形態における補償抵抗ｒ0の実装を参照されたいが、ここでは繰り返さない。
【００６５】
実施例３
具体的な実施において、本開示の実施形態において、図１０に示されるように、負荷補償ユニット１３０はまた、補償コンデンサＣ０を含み得る。補償コンデンサＣ０の一端は、ゲート駆動回路の出力端子Ｏ＿ｍに電気的に接続される。もう一方の端は、接地端子ＧＮＤに電気的に接続されている。また、補償コンデンサＣ０の容量値ｃ0は、負荷補償ユニット１３０の補償負荷値として使用することができる。
【００６６】
特定の実施において、本開示の実施形態において、図１１に示されるように、ディスプレイパネルは、負荷補償ユニット１３０を備えた出力端子Ｏ＿ｍに対応する第３の導電層１６０、および負荷補償ユニット１３０を備えたゲート駆動回路の出力端子Ｏ＿ｍに電気的に接続された第４の導電層１７０をさらに含み得る。第３の導電層１６０および第４の導電層１７０は、絶縁され、異なる層に配置される。ディスプレイパネル上の第３の導電層１６０の正射投影とディスプレイパネル上の第４の導電層１７０の正射投影には、お重なり合う領域を有し、補償コンデンサは、重なり合う領域に配置された第３の導電層１６０および第４の導電層１７０によって形成される第３のコンデンサを含み得る。ここで、第３の導電層は、接地端子に電気的に接続され得る。または、第３の導電層も浮遊し得る。ここに限定されない。
【００６７】
具体的な実施において、本開示の実施形態において、図１１に示されるように、ディスプレイパネル上の第３の導電層１６０の正射投影は、ディスプレイパネル上の第４の導電層１７０の正射投影を覆うように作製され得る。
【００６８】
同じ発明の概念に基づいて、本開示の実施形態はまた、本開示の実施形態によって提供される上記のディスプレイパネルを含むディスプレイ装置を提供する。ディスプレイ装置の問題解決原理は、前述のディスプレイパネルと同様であるため、ディスプレイ装置の実装は、前述のディスプレイパネルの実装を参照することができ、ここでは繰り返さない。
【００６９】
特定の実施において、本開示の実施形態によって提供されるディスプレイデバイスは、携帯電話、タブレットコンピュータ、テレビ、モニター、ノートブックコンピュータ、デジタルフォトフレーム、およびナビゲーターなどの、ディスプレイ機能を備えた任意の製品または構成要素であり得る。ディスプレイ装置の他の不可欠な構成要素は、当技術分野の通常の技術者によって理解されており、ここで繰り返されることはなく、また、それらが本開示の限定として使用されるべきではない。
【００７０】
本開示の実施形態によって提供されるディスプレイパネルおよびディスプレイ装置において、少なくとも１つの負荷補償ユニットが非表示領域に配置され、負荷補償ユニットは、ゲートラインを制御することによってピクセルの充電時間を調整するために使用され、その結果、表示画面の各領域の輝度が均一になる。
【００７１】
明らかに、当技術分野の当業者は、本開示の精神および範囲から逸脱することなく、本開示に様々な変更および修正を加えることができる。このように、本開示のこれらの修正および変形が本開示および同等の技術の特許請求の範囲内にある場合、本開示はまた、これらの修正および変形を含むことを意図する。
【図１】
2021532389.tif 000005
【図２】
2021532389.tif 000006
【図３】
2021532389.tif 000007
【図４ａ】
2021532389.tif 000008
【図４ｂ】
2021532389.tif 000009
【図５】
2021532389.tif 000010
【図６】
2021532389.tif 000011
【図７】
2021532389.tif 000012
【図８】
2021532389.tif 000013
【図９ａ】
2021532389.tif 000014
【図９ｂ】
2021532389.tif 000015
【図１０】
2021532389.tif 000016
【図１１】
2021532389.tif 000017
【国際調査報告】
2021532389.tif 000018
2021532389.tif 000019
2021532389.tif 000020
2021532389.tif 000021
2021532389.tif 000022
2021532389.tif 000023